(57)【要約】【課題】タブ有用紙への画像形成のパフォーマンスを向上する。【解決手段】画像形成装置１は、原稿を光学的に読み取って通常印刷領域Ｑ及びタブ領域Ｔの各画像データを生成する画像読取部５と、タブ有用紙の通常印刷領域Ｑ及びタブ領域Ｔに画像形成を行う画像形成部１２と、記録紙Ｐの搬送制御及び画像形成制御を行う制御部１００とを備える。制御部１００は、原稿のタブ領域Ｔに対して画像形成を行うべき有効な画像がないと判定すると、タブ有の記録紙Ｐに対して、タブを有していない定型サイズの用紙と同様の搬送制御及び画像形成制御を行う。【選択図】図３
2015043534.tif 000002
【特許請求の範囲】
【請求項１】
画像形成の対象とする画像データを取得する画像データ取得部と、
前記画像データ取得部によって取得された画像データが記録媒体上のタブ領域を画像形成の対象とするデータを有するかを判断するタブ領域画像有無判断部と、
記録媒体上に前記取得された画像データを用いた画像形成を行う画像形成部と、
前記画像形成部に対してタブ有りの記録媒体を搬送する搬送部と、
ユーザーからタブ有りの記録媒体用の画像形成動作、又は定形の記録媒体用の画像形成動作のいずれを実行するかの指示が入力される指示入力部と、
前記指示入力部に入力された指示に応じて、タブ有りの記録媒体用の画像形成動作、又は定形の記録媒体用の画像形成動作を前記画像形成部及び搬送部に行わせる制御部とを備え、
前記制御部は、前記指示入力部にタブ有りの記録媒体用の画像形成動作を実行させる指示が入力されたとき、前記タブ領域画像有無判断部によって前記画像データが前記タブ領域を画像形成の対象とするデータを有すると判断した場合に、前記タブ有りの記録媒体用の画像形成動作を実行させ、前記タブ領域画像有無判断部によって前記画像データが前記タブ領域を画像形成の対象とするデータを有しないと判断した場合には、前記定形の記録媒体用の画像形成動作を実行させる画像形成装置。
【請求項２】
前記制御部は、前記画像データが前記タブ領域を画像形成の対象とするデータを有さず前記定形の記録媒体用の画像形成動作を実行させるとき、前記画像形成部により前記画像データの画像形成領域とされる領域における前記タブ領域以外の通常画像形成領域のサイズに基づいて前記定型サイズを判定し、当該判定した定形サイズに応じた前記定形の記録媒体用の画像形成動作を実行させる請求項１に記載の画像形成装置。
【請求項３】
前記制御部は、前記定型サイズを判定できない場合には、前記タブ有りの記録媒体用の画像形成動作を実行させる請求項２に記載の画像形成装置。
【請求項４】
前記制御部は、前記指示入力部に、前記タブ領域画像有無判断部による判断結果に基づく前記タブ有りの記録媒体用の画像形成動作又は前記定形の記録媒体用の画像形成動作の切り換え制御を行う指示が入力されている場合に、当該切り換え制御を実行する請求項１乃至請求項３のいずれかに記載の画像形成装置。
【発明の詳細な説明】
【技術分野】
【０００１】
本発明は、画像形成装置に関し、特に、タブ有用紙への画像形成のパフォーマンスを向上する技術に関する。
【背景技術】
【０００２】
紙媒体の文書をバインダー等に綴じる際にタブ有用紙が適宜挿入されることがある。タブ有用紙は、Ａ４サイズやＢ４サイズ等の定型サイズの用紙の一辺において部分的に突出した「タブ」を有する用紙である。複数のタブ有用紙を重ねたときに各タブ有用紙のタブが重なり合わないように各タブ有用紙においてタブの位置が互いにずらされている。
【０００３】
タブ有用紙のタブは、文書のセクション等を区切って索引を見やすくするための目印として活用することができる。タブ有用紙のタブにはメモを手書きすることができるほか、最近の画像形成装置ではタブ有用紙のタブに文字や画像のトナー像を形成できるようになっている。例えば、下記特許文献１には、タブ有用紙のタブを含む領域に片面又は両面印刷を行う画像形成装置が開示されている。
【先行技術文献】
【特許文献】
【０００４】
【特許文献１】特開２００５−２２５６７３号公報
【発明の概要】
【発明が解決しようとする課題】
【０００５】
タブ有用紙はその形状の特殊性から、画像形成装置において定型サイズの用紙ではなくカスタムサイズの用紙として取り扱われる。したがって、タブ有用紙は定型サイズの用紙よりも搬送処理等に時間がかかり、画像形成のパフォーマンスが低下する。また、タブ有用紙は排出先が特定のトレイに制約される等、ユーザーにとって不便な側面もある。
【０００６】
本発明は、上記の問題を解決するためになされたもので、タブ有用紙への画像形成のパフォーマンスを向上することを目的とする。
【課題を解決するための手段】
【０００７】
本発明の一局面に係る画像形成装置は、画像形成の対象とする画像データを取得する画像データ取得部と、
前記画像データ取得部によって取得された画像データが記録媒体上のタブ領域を画像形成の対象とするデータを有するかを判断するタブ領域画像有無判断部と、
記録媒体上に前記取得された画像データを用いた画像形成を行う画像形成部と、
前記画像形成部に対してタブ有りの記録媒体を搬送する搬送部と、
ユーザーからタブ有りの記録媒体用の画像形成動作、又は定形の記録媒体用の画像形成動作のいずれを実行するかの指示が入力される指示入力部と、
前記指示入力部に入力された指示に応じて、タブ有りの記録媒体用の画像形成動作、又は定形の記録媒体用の画像形成動作を前記画像形成部及び搬送部に行わせる制御部とを備え、
前記制御部は、前記指示入力部にタブ有りの記録媒体用の画像形成動作を実行させる指示が入力されたとき、前記タブ領域画像有無判断部によって前記画像データが前記タブ領域を画像形成の対象とするデータを有すると判断した場合に、前記タブ有りの記録媒体用の画像形成動作を実行させ、前記タブ領域画像有無判断部によって前記画像データが前記タブ領域を画像形成の対象とするデータを有しないと判断した場合には、前記定形の記録媒体用の画像形成動作を実行させるものである。
【発明の効果】
【０００８】
本発明によれば、タブ有用紙への画像形成のパフォーマンスを向上することが可能になる。
【図面の簡単な説明】
【０００９】
【図１】本発明の一実施形態に係る画像形成装置の構造を示す正面断面図である。
【図２】原稿タブ検出部及び用紙タブ検出部の構成例を示す図である。
【図３】画像成形装置の主要内部構成を概略的に示す機能ブロック図である。
【図４】タブ有用紙への画像形成処理のフローチャートである。
【発明を実施するための形態】
【００１０】
以下、本発明の一実施形態に係る画像形成装置について図面を参照して説明する。図１は、本発明の一実施形態に係る画像形成装置の構造を示す正面断面図である。画像形成装置１は、例えば、コピー機能、プリンター機能、スキャナー機能、及びファクシミリ機能等の複数の機能を兼ね備えた複合機である。
【００１１】
画像形成装置１は、装置本体１１と、装置本体１１の上方に対向配置された原稿読取装置２０と、原稿読取装置２０と装置本体１１との間に設けられた連結部３０とから概略構成される。連結部３０は、装置本体１１と原稿読取装置２０との間に用紙排出部１５を形成させた状態で両者を互いに連結するための構造物であり、図１においては装置本体１１の左部及び後部から立設され、平面視でＬ字状とされている。
【００１２】
原稿読取装置（画像データ取得部の一例）２０は、連結部３０の上端部に支持されている。原稿読取装置２０は、画像読取部５と、原稿搬送部６とを備えている。
【００１３】
画像読取部５は、画像読取部筐体の上面開口に装着された、原稿を載置するためのコンタクトガラス１６１を備えている。コンタクトガラス１６１には、載置された原稿を読み取る原稿固定読取部（図略）と、原稿搬送部６により搬送される原稿を読み取る原稿搬送読取部（図略）とがある。画像読取部５は、さらに、コンタクトガラス１６１に載置された原稿を押さえる開閉自在の原稿押さえカバー１６２と、コンタクトガラス１６１の原稿固定読取部に載置された原稿、及びコンタクトガラス１６１の原稿搬送読取部へ搬送される原稿の各画像を読み取る読取ユニット１６３とを備えている。読取ユニット１６３は、ＣＣＤ（Charge Coupled Device）やＣＭＯＳ（Complementary Metal Oxide Semiconductor）等のイメージセンサーを用いて原稿の画像を光学的に読み取り、画像データを生成する。
【００１４】
原稿搬送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー、及び用紙反転機構を備えている。原稿搬送機構６５は、給紙ローラー及び搬送ローラーの駆動により、原稿載置台６１に載置された原稿を１枚ずつ繰り出してコンタクトガラス１６１の原稿搬送読取部へ搬送して読取ユニット１６３による読取を可能とした後、原稿排出部６６へと排出する。また、原稿搬送機構６５は、用紙反転機構が原稿を表裏反転させてコンタクトガラス１６１の原稿搬送読取部へ再搬送することで、当該原稿の両面の画像を読取ユニット１６３により読取可能にしている。
【００１５】
さらに原稿搬送部６は、その前面側が上方に移動可能となるように画像読取部５に対して回動自在に設けられている。原稿搬送部６の前面側を上方に移動させて原稿台としてのコンタクトガラス１６１上面を開放することにより、コンタクトガラス１６１の上面に読み取り原稿、例えば見開き状態にされた書籍等をユーザーが載置できるようになっている。
【００１６】
装置本体１１は、画像形成部１２、定着部１３、給紙部１４、用紙排出部１５、操作部４７等を備えて構成されている。
【００１７】
操作部４７は、画像形成装置１が実行可能な各種動作及び処理について操作者から画像形成動作実行指示や原稿読取動作実行指示等の指示を受け付ける。本実施形態では、操作部４７は、ユーザーからタブ有りの記録媒体用の画像形成動作、又は定形の記録媒体用の画像形成動作のいずれを実行するかの指示が入力される指示入力部として機能する。操作部４７は、操作者への操作案内等を表示する表示部４７３を備えている。
【００１８】
画像形成装置１が原稿読取動作を行う場合、原稿搬送部６により搬送されてくる原稿、又はコンタクトガラス１６１に載置された原稿の画像を画像読取部５が光学的に読み取り、画像データを生成する。画像読取部５により生成された画像データは内蔵ＨＤＤ又はネットワーク接続されたコンピューター等に保存される。
【００１９】
画像形成装置１が画像形成動作を行う場合は、上記原稿読取動作により生成された画像データ、又はネットワークインターフェイス部（画像データ取得部の一例）９１を介してネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラムと、感光体ドラムへトナーを供給する現像装置と、トナーを収容するトナーカートリッジと、帯電装置と、露光装置と、１次転写ローラー１２６とをそれぞれ備えている。
【００２０】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５ａ及び従動ローラー１２５ｂに張架されている中間転写ベルト１２５上に転写させる。
【００２１】
中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００２２】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送ローラー（搬送部の一例）１９により搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００２３】
給紙部１４は、手差しトレイ１４１を含む複数の給紙カセットを備える。制御部（図３）は、操作者による指示で指定されたサイズの用紙が収容された給紙カセットのピックアップローラー（搬送部の一例）１４５を回転駆動させて、各給紙カセットに収容されている記録紙Ｐを上記ニップ部Ｎに向けて搬送させる。
【００２４】
次に、画像形成装置１によるタブ有用紙への画像形成動作について説明する。
【００２５】
画像形成装置１は、タブ有原稿の画像をタブ有用紙に複写することができるようになっている。画像形成装置１は、原稿載置台６１から原稿搬送読取部を経由して原稿排出部６６へ至る原稿搬送経路の適所に、原稿におけるタブ領域を検出する原稿タブ検出部８０Ａを備えている。また、画像形成装置１は、給紙部１４から画像形成部１２へ至る用紙搬送経路の適所に、用紙におけるタブ領域を検出する用紙タブ検出部８０Ｂを備えている。
【００２６】
原稿タブ検出部８０Ａ及び用紙タブ検出部８０Ｂの構成は基本的には同じである。図２は、原稿タブ検出部８０Ａ及び用紙タブ検出部８０Ｂの構成例を示す図である。原稿タブ検出部８０Ａ及び用紙タブ検出部８０Ｂは、原稿又は記録紙Ｐの搬送方向に直交する方向に一列に並んだ複数の例えば透過型光センサー８２を備えている。
【００２７】
各センサー８２は、原稿タブ検出部８０Ａ又は用紙タブ検出部８０Ｂを通過する原稿又は記録紙Ｐを検出する。各センサー８２は、原稿又は記録紙Ｐを検出しているときは例えばＨレベルの信号を出力し、原稿又は記録紙Ｐを検出していないときは例えばＬレベルの信号を出力する。
【００２８】
原稿又は記録紙Ｐの原稿搬送方向におけるサイズは、原稿又は記録紙Ｐの搬送速度と各センサー８２の出力信号がＨレベルとなる期間から算出することができる。例えば、原稿又は記録紙Ｐにおける通常印刷領域Ｑの搬送方向の長さ（紙幅）は、原稿又は記録紙Ｐの搬送速度と、上記直交する方向においてタブ領域Ｔが通過しない位置に配置されたセンサー８２の出力信号がＨレベルとなる期間から算出することができる。
【００２９】
また、原稿又は記録紙Ｐにおけるタブ領域Ｔの位置は、以下のようにして算出可能である。上記直交する方向に並設されたセンサー８２が予め定められた数だけ、当該方向における他の箇所に設けられたセンサー８２よりもＨレベルの出力信号を長く検出しており、当該検出信号の出力時間が予め定められた時間に達している場合に、当該検出信号を出力しているセンサー８２が上記直交する方向において配設されている距離と、他の箇所に設けられたセンサー８２からＨレベルの出力信号が出力される時間の差分と、原稿又は記録紙Ｐの搬送速度とからタブ領域Ｔの位置を算出することができる。
【００３０】
例えば、後述するタブ領域画像有無判断部１０１は、画像読取部５による原稿読取で画像形成の対象とされる画像データが取得される場合には、当該各センサー８２から出力される検出信号に基づき、上記のようにして原稿がタブを有するかと、タブ領域Ｔの位置とを検出する。
【００３１】
また、後述する制御部１００は、上記のようにして検出した、記録紙Ｐにおけるタブ領域Ｔの位置を用いて、画像形成部１２に、タブ領域Ｔに対する画像形成を行わせる。
【００３２】
図３は、画像形成装置１の主要内部構成を示す機能ブロック図である。画像形成装置１は、制御ユニット１０、操作部４７、原稿搬送部６、画像読取部５、画像メモリー３２、画像形成部１２、駆動モーター７０、ファクシミリ通信部７１、原稿タブ検出部８０Ａ、用紙タブ検出部８０Ｂ、ネットワークインターフェイス部９１、及びＨＤＤ９２等を備える。
【００３３】
画像読取部５は、制御ユニット１０による制御の下、ＣＣＤセンサー及び露光ランプ等を有する上記の読取ユニット１６３を備える。画像読取部５は、露光ランプにより原稿を照射し、その反射光をＣＣＤセンサーで受光することにより、原稿から画像を読み取る。特に、画像読取部５は、原稿の通常印刷領域Ｑ及びタブ領域Ｔの各画像データを生成する。
【００３４】
画像処理部３１は、画像読取部５で読み取られた画像の画像データを必要に応じて画像処理する。また、画像処理部３１は、画像読取部５により読み取られた画像が画像形成部１２により画像形成された後の品質を向上させるためにシェーディング補正等の予め定められた画像処理を行う。
【００３５】
画像メモリー３２は、画像読取部５による読取で得られた原稿画像のデータを一時的に記憶したり、画像形成部１２のプリント対象となるデータを一時的に保存する領域である。
【００３６】
画像形成部１２は、画像読取部５で読み取られた印刷データ、ネットワーク接続されたコンピューター２００から受信した印刷データ等の画像形成を行う。特に、画像形成部１２は、タブ有用紙の通常印刷領域Ｑに原稿の通常印刷領域Ｑの画像データのトナー像を形成するとともに、タブ有用紙のタブ領域Ｔに原稿のタブ領域Ｔの画像データのトナー像を形成する。
【００３７】
操作部４７は、画像形成装置１が実行可能な各種動作及び処理について操作者からの指示を受け付ける。操作部４７は、表示部４７３を備える。
【００３８】
ファクシミリ通信部７１は、図略の符号化／復号化部、変復調部及びＮＣＵ（Network Control Unit）を備え、公衆電話回線網を用いてのファクシミリの送信を行うものである。
【００３９】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００４０】
ＨＤＤ９２は、画像読取部５によって読み取られた原稿画像等を記憶する大容量の記憶装置である。
【００４１】
駆動モーター７０は、画像形成部１２の各回転部材、例えば、感光体ドラム１２１や、定着部１３の各回転部材等に回転駆動力を付与する駆動源である。
【００４２】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００を備えている。
【００４３】
制御部１００は、画像読取部５、原稿搬送部６、画像処理部３１、画像メモリー３２、画像形成部１２、操作部４７、ファクシミリ通信部７１、原稿タブ検出部８０Ａ、用紙タブ検出部８０Ｂ、ネットワークインターフェイス部９１、ＨＤＤ（ハードディスクドライブ）９２等と接続され、これら各部の駆動制御、用紙の搬送制御及び画像形成制御を行う。
【００４４】
タブ領域画像有無判断部１０１は、画像読取部５又はネットワークインターフェイス部９１によって取得された画像データが、記録紙Ｐ上のタブ領域を画像形成の対象とするデータを有するかを判断する。例えば、タブ領域画像有無判断部１０１は、当該画像データについて、当該画像データのどの領域が、定形サイズ、例えば、Ａ４サイズ、Ｂ４サイズ等の記録紙Ｐに対応する通常画像形成領域であり、タブ部分に画像形成を行うタブ領域がどの領域にあたるかの情報を有している。タブ領域画像有無判断部１０１は、当該情報に基づいて、当該画像データが上記タブ領域を画像形成の対象とするデータを有するか否かの判断を行う。或いは、上述したように、タブ領域画像有無判断部１０１は、画像読取部５による原稿読取で画像形成の対象とされる画像データが取得される場合には、当該各センサー８２から出力される検出信号に基づき、上記のようにして原稿がタブを有するかと、タブ領域Ｔの位置とを検出し、更に、当該画像データに基づいて、当該検出したタブ領域Ｔに対して画像形成すべき画像があるか否かを判断する。
【００４５】
制御部１００は、操作部４７にタブ有りの記録紙Ｐ用の画像形成動作を実行させる指示がユーザーにより入力されたとき、タブ領域画像有無判断部１０１によって、画像データがタブ領域を画像形成の対象とされるデータを有すると判断された場合に、タブ有りの記録紙Ｐ用の画像形成動作を実行させ、タブ領域画像有無判断部１０１によって画像データがタブ領域を画像形成の対象とするデータを有しないと判断された場合には、定形の記録紙Ｐ用の画像形成動作を実行させる。これにより、タブ有用紙の給排紙動作及び画像形成処理が定型サイズの用紙と同等に高速化され、タブ有用紙への画像形成のパフォーマンスを向上させることができる。
【００４６】
制御部１００は、このように定形の記録紙Ｐ用の画像形成動作を実行させる場合、画像形成部１２により画像データの画像形成領域とされる領域におけるタブ領域以外の通常画像形成領域のサイズに基づいて、画像形成に用いるべき定型サイズを判定し、当該判定した定形サイズに対する画像形成動作を、画像形成部１２及び搬送部に実行させる。これにより、画像形成の対象とされる画像データの画像形成に用いられるタブ有りの記録紙Ｐのサイズに適した動作を画像形成部１２及び搬送部が行うことが可能になる。
【００４７】
なお、制御部１００は、このように定形の記録紙Ｐ用の画像形成動作を実行させる場合に、定型サイズを判定できないときは、タブ有りの記録紙Ｐ用の画像形成動作を実行させる。定形サイズを判定できない場合であっても、タブ有りの記録紙Ｐに対する画像形成動作を中断させずに続行させる。
【００４８】
なお、タブ有用紙を用いる印刷において、動作モードとして通常と高パフォーマンスモードのいずれかを設定できるようにしてもよい。ユーザーが動作モードを通常に設定すれば、画像形成装置１は、通常のタブ有用紙の印刷動作をする。一方、ユーザーが動作モードを高パフォーマンスモードに設定（すなわち、ユーザーによる、タブ領域画像有無判断部１０１による判断結果に基づくタブ有りの記録紙Ｐ用の画像形成動作又は定形の記録紙Ｐ用の画像形成動作の切り換え制御を実行させる指示が入力されたことを示す）すれば、上記のように、制御部１００は、原稿のタブ領域Ｔに有効な画像がなければ、タブ有用紙に対して定型サイズの用紙と同様の搬送制御及び画像形成制御を行う。これにより、ユーザーの所望に応じて、上記切り換え制御を実行させる否かを設定することが可能になる。
【００４９】
次に、タブ有りの記録紙Ｐ用の画像形成動作時における処理について説明する。図４は、タブ有りの記録紙Ｐ用の画像形成動作時における処理のフローチャートである。
【００５０】
まず、ユーザーによる操作部４７の操作で、タブ有りの記録紙Ｐ用の画像形成動作の実行指示が入力され、タブ有用紙印刷の動作モードが設定されると（Ｓ１）、制御部１００は、動作モードがユーザーにより高パフォーマンスモードに設定されているかを判定する（Ｓ２）。
【００５１】
制御部１００は、動作モードが高パフォーマンスモードに設定されていると判定した場合（Ｓ２でＹＥＳ）、画像読取部５を制御して原稿の読み込みを実行させる（Ｓ３）。画像読取部５は、原稿を光学的に読み取って通常印刷領域Ｑ及びタブ領域Ｔの各画像データを取得する。なお、上述したように、ネットワークインターフェース９１を介して他のパーソナルコンピューターから画像データを取得してもよい。
【００５２】
タブ領域画像有無判断部１０１は、画像読取部５が読み取った原稿の画像データからタブ領域を検出し（Ｓ４）、当該画像データ内に、タブ領域Ｔに画像形成すべき画像があるか否かを判定する（Ｓ５）。
【００５３】
タブ領域画像有無判断部１０１は、当該画像データ内に、タブ領域Ｔに画像形成すべき画像がないと判定した場合（Ｓ５でＹＥＳ）、タブ領域以外の通常画像形成領域、すなわち通常印刷領域Ｑのサイズを検出する（Ｓ６）。
【００５４】
そして、制御部１００は、通常印刷領域Ｑのサイズが定型紙、例えばＡ４紙と同サイズであるかを判定する（Ｓ７）。制御部１００が、通常印刷領域Ｑのサイズが定型紙と同サイズである判定すると（Ｓ７でＹＥＳ）、タブ有用紙に対して、当該定型紙に対して行う動作と同様の搬送動作及び画像形成動作を行わせる制御を行う（Ｓ８）。この後、タブ有りの記録紙Ｐへの画像形成処理が終了する。
【００５５】
一方、制御部１００が、Ｓ２において動作モードが高パフォーマンスモードであると判定した場合（Ｓ２でＮＯ）、Ｓ５において原稿のタブ領域Ｔに対して画像形成すべき画像が存在すると判定した場合（Ｓ５でＮＯ）、又はＳ７において原稿の通常印刷領域Ｑのサイズが定型紙のサイズとは異なると判定した場合には（Ｓ７でＮＯ）、制御部１００は、画像形成部１２及び搬送部に、タブ有りの記録紙Ｐに対して画像形成を行うための従来の印刷動作を行わせる（Ｓ９）。
【００５６】
以上のように本実施形態によると、タブ有用紙への画像形成のパフォーマンスを向上することが可能になる。
【００５７】
なお、本発明は上記実施の形態の構成に限られず種々の変形が可能である。例えば、上記実施形態では、本発明に係る画像形成装置の一実施形態として複合機を用いて説明しているが、これは一例に過ぎず、他の電子機器、例えば、プリンター、コピー機、ファクシミリ装置等の他の画像形成装置でもよい。
【００５８】
また、上記実施形態では、図１乃至図４を用いて上記実施形態により示した構成及び処理は、本発明の一実施形態に過ぎず、本発明を当該構成及び処理に限定する趣旨ではない。
【符号の説明】
【００５９】
１        画像形成装置
５        画像読取部
１２      画像形成部
４７      操作部
８０Ａ    原稿タブ検出部
８０Ｂ    用紙タブ検出部
１００    制御部
１０１    タブ領域画像有無判断部
Ｐ        原稿、用紙
Ｑ        通常印刷領域
Ｔ        タブ領域
【図１】
2015043534.tif 000003
【図２】
2015043534.tif 000004
【図３】
2015043534.tif 000005
【図４】
2015043534.tif 000006